(57)【特許請求の範囲】
【請求項１】
表示板と、
前記表示板を保持するケース体と、
回路基板に半田付け固定される可動部を有するスイッチと、
このスイッチの前方側に配置される操作部材と、
を備えたスイッチ装置において、
前記操作部材は、
前記スイッチの前方に配置され前記操作部材が貫通する貫通孔を備えた前記表示板の背後側に延設された突出部を有し、
前記ケース体は、
前記表示板を保持する天面部と、
この天面部から前記回路基板へ向かって延設された脚部と、
前記操作部材が傾いた場合に前記突出部と当接する程度の離れた距離に、前記脚部から突出形成された壁部を備えた
ことを特徴とするスイッチ装置。
【発明の詳細な説明】
【技術分野】
【０００１】
本発明は、例えば車両のメータに組み込まれ、操作部材を備えたスイッチ装置に関するものである。
【背景技術】
【０００２】
従来、特許文献１に記載のように、車両のメータにおいて輝度の調節などにスイッチ装置が用いられている。このスイッチ装置は、可動部を有するスイッチと、このスイッチの端部で可動部を作動させる操作部材と、を備えている。
【０００３】
このように構成された操作部材は、運転者が操作できるように、フロントガラス（フロントカバー）などの覆い部材に形成された貫通孔から前方に突出するように配置される。
【先行技術文献】
【特許文献】
【０００４】
【特許文献１】特開２００９−２６６３９９号公報
【発明の概要】
【発明が解決しようとする課題】
【０００５】
しかしながら、このようなスイッチ装置は、組付け作業時に操作部材が斜めに傾くと、操作部材が表示板の貫通孔の内壁に近づくことになり、操作部材が傾く方向へ表示板が押されてしまうという問題点があった。
【０００６】
そこで本発明は、操作部材を備えたスイッチ装置において、組付け作業時の不具合を減少させることが可能なスイッチ装置を提供することを目的とする。
【課題を解決するための手段】
【０００７】
本発明は、前記目的を達成するため、  表示板と、前記表示板を保持するケース体と、回路基板に半田付け固定される可動部を有するスイッチと、このスイッチの前方側に配置される操作部材と、を備えたスイッチ装置において、前記操作部材は、前記スイッチの前方に配置され前記操作部材が貫通する貫通孔を備えた前記表示板の背後側に延設された突出部を有し、前記ケース体は、前記表示板を保持する天面部と、この天面部から前記回路基板へ向かって延設された脚部と、前記操作部材が傾いた場合に前記突出部と当接する程度の離れた距離に、前記脚部から突出形成された壁部を備えたものである。
【発明の効果】
【０００８】
本発明によれば、組付け作業時の不具合を減少させることが可能なスイッチ装置を提供することができる。
【図面の簡単な説明】
【０００９】
【図１】本発明における第１の実施形態を示す計器装置の正面図。
【図２】同上の計器装置のＡ−Ａ断面図。
【図３】従来例を示すスイッチ装置の断面図。
【図４】本発明における実施形態を示すスイッチ装置の断面図。
【発明を実施するための形態】
【００１０】
本発明の実施形態であるスイッチ装置を適用した車両用の計器装置を説明する。
【００１１】
計器装置は、硬質な回路基板３と、この回路基板３の裏面側に回路基板３と導通状態で装着され、回路基板３を貫通して前方に延びる回動軸４を有する計器本体５と、回動軸４の先端側に固着された指針６と、車両の走行情報を表示する表示部Ｓを視認するための開口窓を有した表示板７と、この表示板７と回路基板３との間に配置され、表示板７を保持する白色の合成樹脂からなるケース体８と、回路基板３上に実装され指針６や表示板７を背後から照明する光源としての発光ダイオード９と、回路基板３の裏面側を覆うカバー１０と、表示板７の前方側に配置され表示板７の可視領域を定めるリング部材１２と、指針６や表示板７などの前方側を被う無色透明の前面カバー１３を備えている。
【００１２】
表示板７には、後述する操作部材１８を貫通させ、順次組み付け可能とするための貫通孔７ａが設けられている。また、表示板７には、その他の貫通孔として、表示板７を一方向へスライドさせてケース体と係合させる凹部（図示せず）が設けられている。
【００１３】
前面カバー１３には、後述する操作部材１８を貫通させ、順次組み付け可能とするための貫通孔１３ａが設けられている。
【００１４】
また、計器装置は車両の走行情報を表示する表示部Ｓと、その表示部Ｓの輝度を調節する、例えばイルミネーションコントロールからなるスイッチ装置１を備えている。
【００１５】
スイッチ装置１は、回路基板３に半田付け固定された可動部１７ａを有するスイッチ１７と、このスイッチ１７が配置される硬質な回路基板３と、スイッチ１７を押圧操作する合成樹脂製の操作部材１８とを備えている。回路基板３は、速度計や回転計の計器本体５が装着された基板である。また、本実施形態におけるスイッチ装置１は、前面カバー１３に設けられた貫通孔１３ａから操作部材１８が貫通する構造となっている。
【００１６】
ケース体８は、表示板７を背面側から保持する。ケース体８は、表示板７の貫通孔７ａの凹部に係合される係合フック（図示せず）を有しており、スライド方向の凹部と係合することで表示板７を保持している。
【００１７】
また、ケース体８は、表示板７をほぼ水平に保持するための天面部８ａと、その天面部８ａから回路基板３へ向かって延設された脚部８ｂと、操作部材１８の後述する突出部に向かって一定の距離が離れた状態で脚部８ｂから突出形成された壁部８ｃとを有している。本実施形態の場合、一定の距離が離れた状態とは、操作部材１８が傾いた際に突出部が壁部８ｃと接触する程度の距離を示している。
【００１８】
壁部８ｃは、図３に示すように、操作部材１８が傾いた状態で配置された場合に、操作部材１８の外周壁面が表示板７に当接して表示板７を操作部材１８の傾く方向へ押してしまい、例えば、フック係合が外れてしまうなどの不具合を防ぐために形成されたものである。
【００１９】
操作部材１８は、スイッチ１７を押圧する突出部である押圧部１８ｂが一体形成されたノブ１８ａを備えている。
【００２０】
ノブ１８ａは、合成樹脂から形成され、スイッチ１７の可動部１７ａ上に当接し、可動部１７ａを押圧する板状の押圧部１８ｂを有している。
【００２１】
押圧部１８ｂと表示板７との間には、光源９の光が貫通孔１３ａから漏れるのを防止するために、樹脂やゴムなどからなるパッキン１８ｃが装着されている。
【００２２】
スイッチ装置１の組み付け方法を説明する。スイッチ１７は、半田付けなどの工程によって回路基板３に組み付けられている。スイッチ１７の可動部１７ａと押圧部１８ｂとが当接するように配置させたのち、表示板７に設けられた貫通孔７ａに貫通させる。このとき、操作部材１８が傾いて配置されたとしても、突出部（押圧部１８ｂ）が壁部８ｃと当接することで傾きすぎることがないので、ノブ１８ａが貫通孔７ａの内壁と接触してしまっても、表示板７が操作部材１８の傾く方向へ動くことを防ぐ。その後、操作部材１８は、前面カバー１３の貫通孔１３ａに貫通される。
【００２３】
このように本発明は、表示板７と、表示板７を保持するケース体８と、可動部１７ａを有するスイッチ１７と、このスイッチ１７の前方側に配置される操作部材１８と、を備えたスイッチ装置１において、操作部材１８は、スイッチ１７の前方に配置され操作部材１８が貫通する貫通孔７ａを備えた表示板７の背後側に延設された押圧部１８ｂを有し、ケース体８は、操作部材１８が傾いた場合に突出部１８ｂと当接する位置に壁部８ｃを備えたことによって、操作部材１８が傾いた場合に操作部材１８の一部と壁部８ｃとが当接するので、表示板７が操作部材１８の傾く方向へ動くことを防止することができる。
【００２４】
なお、本実施形態では、壁部８ｃと当接する突出部１８ｂを、押圧部１８ｂとしていたが、表示板７が操作部材１８の傾く方向へ動かないように壁部８ｃと操作部材１８の一部が当接するならば、その部位は押圧部１８ｂに限定されず、その形状は任意である。
【符号の説明】
【００２５】
１      スイッチ装置
３      回路基板
４      回動軸
５      計器本体
６      指針
７      表示板
７ａ    貫通孔
８      ケース体
８ａ    天面部
８ｂ    脚部
８ｃ    壁部
９      発光ダイオード
１０    カバー
１２    リング部材
１３    前面カバー
１３ａ  貫通孔
１７    スイッチ
１７ａ  可動部
１８    操作部材
１８ａ    ノブ
１８ｂ    押圧部（突出部）
１８ｃ    パッキン
【図１】
0006707840.tif 000002
【図２】
0006707840.tif 000003
【図３】
0006707840.tif 000004
【図４】
0006707840.tif 000005